(57)【要約】【課題】  部屋ユニットの搬入・搬出作業の容易化を図ることができる建築物と建築方法を提供すること。【解決手段】  天井を部屋ユニット搬入／搬出口とする躯体と、任意の機能を有し上記部屋ユニット搬入／搬出口から上記躯体内に搬入・搬出される部屋ユニットと、を具備し、上記部屋ユニット搬入／搬出口を介して上記部屋ユニットの上記躯体内への搬入及び上記躯体からの搬出作業を行うことで、上記部屋ユニットの搬入・搬出作業の容易化を図るようにしたもの。【選択図】  図２
2019007146.tif 000002
【特許請求の範囲】
【請求項１】
天井側を部屋ユニット搬入／搬出口とする躯体と、
任意の機能を有し上記部屋ユニット搬入／搬出口から上記躯体内に搬入・搬出される部屋ユニットと、
を具備したことを特徴とする建築物。
【請求項２】
請求項１記載の建築物において、
上記躯体は基礎と上記基礎の上に着脱可能に立設される複数枚の壁ユニットと上記立設された複数枚の壁ユニットの上に着脱可能に設置される天井ユニットとから構成されることを特徴とする建築物。
【請求項３】
請求項１又は請求項２記載の建築物において、
上記壁ユニットの上部には内側に向かって開口された締結作業用上部開口部が設けられていて、
上記壁ユニットは上記締結作業用上部開口部を介して挿し込まれて螺合される固定ネジによって上記天井ユニットに締結固定されることを特徴とする建築物。
【請求項４】
請求項３記載の建築物において、
上記部屋ユニットの壁の上部には上記締結作業用上部開口部に連通する部屋ユニット側締結作業用上部開口部が設けられていることを特徴とする建築物。
【請求項５】
請求項４記載の建築物において、
上記部屋ユニット側締結作業用上部開口部には蓋体が着脱可能に設けられていることを特徴とする建築物。
【請求項６】
請求項１〜請求項５の何れかに記載の建築物において、
上記部屋ユニットは複数種類あることを特徴とする建築物。
【請求項７】
請求項１〜請求項６の何れかに記載の建築物において、
上記躯体の一は上記部屋ユニットの一辺の整数倍であることを特徴とする建築物。
【請求項８】
天井側を部屋ユニット搬入／搬出口とする躯体を設置する工程と、
任意の自立した機能を有する部屋ユニットを上記部屋ユニット搬入／搬出口を介して上記躯体内に搬入する工程と、
を具備したことを特徴とする建築方法。
【請求項９】
請求項８記載の建築方法において、
搬入した後上記部屋ユニット搬入／搬出口を天井ユニットで閉塞する工程と、
を具備したことを特徴とする建築方法。
【請求項１０】
請求項９記載の建築方法において、
上記躯体は基礎と上記基礎の上に着脱可能に立設される複数枚の壁ユニットと上記立設された複数枚の壁ユニットの上に着脱可能に設置される天井ユニットとから構成されていて、
上記壁ユニットの上部に内側に向かって開口された締結作業用上部開口部を予め設けておき、
上記締結作業用上部開口部を介して固定ネジを挿し込んで螺合することにより上記壁ユニットを上記天井ユニットに締結固定するようにしたことを特徴とする建築方法。
【請求項１１】
請求項１０記載の建築方法において、
上記部屋ユニットの壁の上部に上記締結作業用上部開口部に連通する部屋ユニット側締結作業用上部開口部を予め設けておき、
上記部屋ユニット側締結作業用開口部を介して上記固定ネジを挿し込むようにしたことを特徴とする建築方法。
【請求項１２】
請求項１１記載の建築方法において、
締結作業終了後上記部屋ユニット側締結作業用上部開口部を蓋体によって閉塞するようにしたことを特徴とする建築方法。
【発明の詳細な説明】
【技術分野】
【０００１】
本発明は、建築物と建築方法に係り、特に、部屋ユニットの搬入・搬出作業の容易化を図ることができるように工夫したものに関する。
【背景技術】
【０００２】
従来の建築物と建築方法を開示するものとして、例えば、特許文献１、特許文献２がある。
特許文献１に記載された複合ユニットルームの設置施工方法は、まず、建物内に架台を設置し、この架台上に骨組構造体を設置した後、この骨組構造体に壁パネルをはめ込んでいくことで、基準となるルームユニットを組立・設置する。次に、その基準となるルームユニットに隣接して、別のルームユニットを順次組立・設置していく。
【０００３】
一方、特許文献２に記載された設備ユニットの施工方法では、まず、住宅の躯体ユニットの内部に設備ユニットの床部を設置し、次に、上記設備ユニットの床部以外の部分である箱体を組み立てて、クレーンで吊り上げて躯体ユニット内に上から搬入し、上記床部上に設置する。
【先行技術文献】
【特許文献】
【０００４】
【特許文献１】特開昭５０−６６０３２号公報
【特許文献２】特開平８−１９９８２０号公報
【発明の概要】
【発明が解決しようとする課題】
【０００５】
しかし、上記従来の構成によると次のような問題があった。
まず、特許文献１に記載された発明の場合には、基準となるルームユニットについては建物内で組み立てなければならず、面倒な作業を余儀なくされてしまうという問題があった。
また、それ以外のルームユニットについては建物外で予め組み立てられていると考えられるが、その搬入／搬出は建物の側面に設けられた入口／出口等の開口部を介して行われることになり、ルームユニットの大きさにもよるが煩雑な作業を余儀なくされてしまうとともに、ルームユニットの大きさも上記入口／出口等の開口部の大きさに制約されてしまうという問題があった。
また、特許文献２に記載された設備ユニットの施工方法では、設備ユニットを床部と箱体とに分けてそれぞれ別個に搬入する構成になっており、１個の設備ユニットに関して二回の搬入作業が必要になるとともにそれらの連結作業も必要となり、やはり、作業が面倒であるという問題があった。
【０００６】
本発明はこのような点に基づいてなされたものでその目的とするところは、部屋ユニットの搬入・搬出作業の容易化を図ることが可能な建築物と建築方法を提供することにある。
【課題を解決するための手段】
【０００７】
上記課題を解決するべく本願発明の請求項１による建築物は、天井側を部屋ユニット搬入／搬出口とする躯体と、任意の機能を有し上記部屋ユニット搬入／搬出口から上記躯体内に搬入・搬出される部屋ユニットと、を具備したことを特徴とするものである。
また、請求項２による建築物は、請求項１記載の建築物において、上記躯体は基礎と上記基礎の上に着脱可能に立設される複数枚の壁ユニットと上記立設された複数枚の壁ユニットの上に着脱可能に設置される天井ユニットとから構成されることを特徴とするものである。
また、請求項３による建築物は、請求項１又は請求項２記載の建築物において、上記壁ユニットの上部には内側に向かって開口された締結作業用上部開口部が設けられていて、上記壁ユニットは上記締結作業用上部開口部を介して挿し込まれて螺合される固定ネジによって上記天井ユニットに締結固定されることを特徴とするものである。
また、請求項４による建築物は、請求項３記載の建築物において、上記部屋ユニットの壁の上部には上記締結作業用上部開口部に連通する部屋ユニット側締結作業用上部開口部が設けられていることを特徴とするものである。
また、請求項５による建築物は、請求項４記載の建築物において、上記部屋ユニット側締結作業用上部開口部には蓋体が着脱可能に設けられていることを特徴とするものである。
また、請求項６による建築物は、請求項１〜請求項５の何れかに記載の建築物において、上記部屋ユニットは複数種類あることを特徴とするものである。
また、請求項７による建築物は、請求項１〜請求項６の何れかに記載の建築物において、上記躯体の一辺は上記部屋ユニットの一辺の整数倍であることを特徴とするものである。
また、請求項８による建築方法は、天井側を部屋ユニット搬入／搬出口とする躯体を設置する工程と、任意の自立した機能を有する部屋ユニットを上記部屋ユニット搬入／搬出口を介して上記躯体内に搬入する工程と、を具備したことを特徴とするものである。
また、請求項９による建築方法は、請求項８記載の建築方法において、搬入した後上記部屋ユニット搬入／搬出口を天井ユニットで閉塞する工程と、を具備したことを特徴とするものである。
また、請求項１０による建築方法は、請求項９記載の建築方法において、上記躯体は基礎と上記基礎の上に着脱可能に立設される複数枚の壁ユニットと上記立設された複数枚の壁ユニットの上に着脱可能に設置される天井ユニットとから構成されていて、上記壁ユニットの上部に内側に向かって開口された締結作業用上部開口部を予め設けておき、上記締結作業用上部開口部を介して固定ネジを挿し込んで螺合することにより上記壁ユニットを上記天井ユニットに締結固定するようにしたことを特徴とするものである。
また、請求項１１による建築方法は、請求項１０記載の建築方法において、上記部屋ユニットの壁の上部に上記締結作業用上部開口部に連通する部屋ユニット側締結作業用上部開口部を予め設けておき、上記部屋ユニット側締結作業用開口部を介して上記固定ネジを挿し込むようにしたことを特徴とするものである。
また、請求項１２による建築方法は、請求項１１記載の建築方法において、締結作業終了後上記部屋ユニット側締結作業用上部開口部を蓋体によって閉塞するようにしたことを特徴とするものである。
【発明の効果】
【０００８】
以上述べたように、本願発明の請求項１記載の建築物によると、天井側を部屋ユニット搬入／搬出口とする躯体と、任意の機能を有し上記部屋ユニット搬入／搬出口から上記躯体内に搬入・搬出される部屋ユニットと、を具備したため、建築物の周辺に作業空間を確保できない場合でも、部屋ユニットの搬入・搬出作業の容易化を図ることができる。
また、請求項２記載の建築物によると、請求項１記載の建築物において、上記躯体は基礎と上記基礎の上に着脱可能に立設される複数枚の壁ユニットと上記立設された複数枚の壁ユニットの上に着脱可能に設置される天井ユニットとから構成されるため、上記建築物の解体も容易なものとすることができる。
また、請求項３記載の建築物によると、請求項１又は請求項２記載の建築物において、上記壁ユニットの上部には内側に向かって開口された締結作業用上部開口部が設けられていて、上記壁ユニットは上記締結作業用上部開口部を介して挿し込まれて螺合される固定ネジによって上記天井ユニットに締結固定されるため、上記天井ユニットの締結固定作業を上記建築物の内側から行うことができ、建築物の周辺に作業空間を確保できない場合でも、上記建築物の組み立て・解体を行うことができる。
また、請求項４記載の建築物によると、請求項３記載の建築物において、上記部屋ユニットの壁の上部には上記締結作業用上部開口部に連通する部屋ユニット側締結作業用上部開口部が設けられているため、上記部屋ユニットを上記躯体内に設置した後に、内側から上記天井ユニットの締結固定作業を行うことができる。
また、請求項５による建築物によると、請求項４記載の建築物において、上記部屋ユニット側締結作業用上部開口部には蓋体が着脱可能に設けられているため、上記部屋ユニット側締結作業用上部開口部を簡易な構成により閉塞して美観を高めるとともに、容易に上記建築物の組み立て・解体を行うことができる。
また、請求項６による建築物によると、請求項１〜請求項５の何れかに記載の建築物において、上記部屋ユニットは複数種類あるため、上記建築物に複数の機能を持たせることができる。
また、請求項７による建築物によると、請求項１〜請求項６の何れかに記載の建築物において、上記躯体の一辺は上記部屋ユニットの一辺の整数倍であるため、上記建築物内の空間を有効に活用することができる。
また、請求項８による建築方法は、天井側を部屋ユニット搬入／搬出口とする躯体を設置する工程と、任意の自立した機能を有する部屋ユニットを上記部屋ユニット搬入／搬出口を介して上記躯体内に搬入する工程と、を具備したため、建築物の周辺に作業空間を確保できない場合でも、部屋ユニットの搬入・搬出作業の容易化を図ることができる。
また、請求項９による建築方法は、請求項８記載の建築方法において、搬入した後上記部屋ユニット搬入／搬出口を天井ユニットで閉塞する工程と、を具備したため、天井を備えた建築物を容易に組み立てることができる。
また、請求項１０による建築方法は、請求項９記載の建築方法において、上記躯体は基礎と上記基礎の上に着脱可能に立設される複数枚の壁ユニットと上記立設された複数枚の壁ユニットの上に着脱可能に設置される天井ユニットとから構成されていて、上記壁ユニットの上部に内側に向かって開口された締結作業用上部開口部を予め設けておき、上記締結作業用上部開口部を介して固定ネジを挿し込んで螺合することにより上記壁ユニットを上記天井ユニットに締結固定するようにしたため、上記天井ユニットの締結固定作業を上記建築物の内側から行うことができ、建築物の周辺に作業空間を確保できない場合でも、上記建築物の組み立て・解体を行うことができる。
また、請求項１１による建築方法は、請求項１０記載の建築方法において、上記部屋ユニットの壁の上部に上記締結作業用上部開口部に連通する部屋ユニット側締結作業用上部開口部を予め設けておき、上記部屋ユニット側締結作業用開口部を介して上記固定ネジを挿し込むようにしたため、上記部屋ユニットを上記躯体内に設置した後に、内側から上記天井ユニットの締結固定作業を行うことができる。
また、請求項１２による建築方法は、請求項１１記載の建築方法において、締結作業終了後上記部屋ユニット側締結作業用上部開口部を蓋体によって閉塞するようにしたため、上記部屋ユニット側締結作業用上部開口部を簡易な構成により閉塞して美観を高めるとともに、容易に上記建築物の組み立て・解体を行うことができる。
【図面の簡単な説明】
【０００９】
【図１】本発明の第１の実施の形態を示す図で、建築物の一部斜視図である。
【図２】本発明の第１の実施の形態を示す図で、建築物のＩＩ―ＩＩ断面図である。
【図３】本発明の第１の実施の形態を示す図で、図３（ａ）は図２のＩＩＩａ部の拡大図、図３（ｂ）は図２のＩＩＩｂ部の拡大図である。
【図４】本発明の第１の実施の形態を示す図で、躯体の壁ユニットと基礎フレームの連結部分を示す断面図である。
【図５】本発明の第１の実施の形態を示す図で、躯体の壁ユニットと天井ユニットの連結部分を示す断面図である。
【図６】本発明の第１の実施の形態を示す図で、部屋ユニットとしてのトイレユニットの外枠を構成する枠材の端面図である。
【図７】本発明の第２の実施の形態と示す図で、建築物の横断面図である。
【図８】本発明の第３の実施の形態と示す図で、建築物の横断面図である。
【図９】本発明の第４の実施の形態と示す図で、建築物の横断面図である。
【図１０】本発明の第５の実施の形態と示す図で、建築物の横断面図である。
【図１１】本発明の第６の実施の形態と示す図で、建築物の横断面図である。
【図１２】本発明の第７の実施の形態と示す図で、建築物の横断面図である。
【発明を実施するための形態】
【００１０】
以下、図１乃至図６を参照して本発明の第１の実施の形態を説明する。
建築物１は、図１及び図２に示すように、躯体３と、上記躯体３内に設置される部屋ユニットとしてのトイレユニット５と、から構成されている。
【００１１】
まず、上記躯体３の構成について説明する。
図１に示すように、設置面６には、枠材７ａ、７ａ、７ｂ、７ｂ（図１中奥側の枠材７ａは図示せず）を長方形状に組み合わせた基礎フレーム７が設置されていて、この基礎フレーム７の上に床９が設置されている。この床９の下側には、上水道や下水道等の図示しない配管群があり、上記床９の所定の箇所には開口部が形成されていて、その開口部には上記配管群の接続口が露出・配置されている。
【００１２】
また、図２にも示すように、上記基礎フレーム７の上であって上記床９の外周側には、複数枚（この第１の実施の形態の場合は６枚）の壁ユニット１１が設置されている。
上記壁ユニット１１は次のような構成をなしている。まず、図３（ａ）、図３（ｂ）に示すように、枠体１３があり、この枠体１３は、左右両側のフレーム１７、１７と、上記フレーム１７、１７の上端（図５中上端）及び下端（図４中下端）に連結されたフレーム１８、１８と、から構成されている。上記フレーム１７には、連結用凹部１９が形成されている。また、上記枠体１３の内側には、芯材２１が設置されていて、この芯材２１の表面（図３（ａ）下側）と裏面（図３（ａ）中上側）には板材２３ａ、２３ｂが設置されている。また、これら板材２３ａ、２３ｂの表面には、化粧板２５ａ、２５ｂがそれぞれ設置されている。
【００１３】
また、図１、図４に示すように、上記壁ユニット１１の内側面の下部には締結作業用下部開口部２７ａ、２７ａが設けられており、また、図１、図５に示すように、上部には締結作業用上部開口部２７ｂ、２７ｂが設けられている。上記締結作業用下部開口部２７ａ、２７ａを介して、上記壁ユニット１１と基礎フレーム７との締結作業が行われる。すなわち、上記締結作業用下部開口部２７ａ、２７ａ内にボルト２９を挿し込んで上記基礎フレーム７に螺合することにより、上記壁ユニット１１が上記基礎フレーム７に締結・固定されている。この締結作業は、上記トイレユニット５を搬入する前に、上記締結作業用下部開口部２７ａ、２７ａを介して上記躯体３の内側から行われる。
また、上記壁ユニット１１と後述する天井ユニットとの締結作業は、上記締結作業用上部開口部２７ｂ、２７ｂを介して行われる。
また、上記トイレユニット５を設置しない場所の上記締結作業用下部開口部２７ａは図示しない着脱可能な蓋によって閉塞される。
なお、上記トイレユニット５を設置する場所では、上記締結作業用下部開口部２７ａは上記トイレユニット５によって閉塞される。
【００１４】
また、上記基礎フレーム７の外周側には、側面側開口部ユニット３１、３１、３３、３３が設置されている。上記側面側開口部ユニット３１には枠体３５がある。この枠体３５は、幅方向両側のフレーム３７、３７と、これらフレーム３７、３７の上端（図３（ａ）及び図３（ｂ）中手前側端）及び下端（図３（ａ）及び図３（ｂ）中奥側端）に連結されたフレーム３８、３８と、から構成されている。上記フレーム３７には連結用凹部３９が形成されている。また、上記枠体３５の表面（図３（ａ）下側）と裏面（図３（ａ）中上側）には板材４１、４３が設置されており、これら板材４１、４３の表面には化粧板４５、４７がそれぞれ設置されている。
上記側面開口部ユニット３３も上記側面開口部ユニット３１と同様の構成であるが、寸法が異なっているとともに、図２に示すように、扉４９が回動可能に設置されている。
また、上記側面開口部ユニット３１、３３も図示しないボルトによって上記基礎フレーム７に締結・固定されている。
【００１５】
また、図３（ａ）に示すように、上記側面開口部ユニット３１は前記壁ユニット１１に連結されている。すなわち、上記壁ユニット１１のフレーム１７の連結用凹部１９と上記側面開口部ユニット３１のフレーム３７の連結用凹部３９に連結部材５５が係合されている。
【００１６】
また、上記壁ユニット１１と上記側面開口部ユニット３１の間の裏側（図３（ａ）中上側）には閉塞部材５６が係合されている。上記壁ユニット１１のフレーム１７と上記側面開口部ユニット３１のパネル用枠材３７の間には閉塞部材固定板５７が係合されていて、上記閉塞部材固定板５７と上記閉塞部材５６の間にはスペーサ５９が介挿されている。上記閉塞部材５６は、ボルト６１を上記閉塞部材５６と上記スペーサ５９を通して上記閉塞部材固定板５７に螺合することにより固定されていて、その結果、上記閉塞部材５６の係合部６３、６３と上記閉塞部材固定板５７によって、上記壁ユニット１１と上記側面開口部ユニット３１が挟持・固定されている。
【００１７】
また、上記壁ユニット１１のフレーム１７と上記側面開口部ユニット３１のフレーム３７の間にはガスケット６５、６５が介挿されている。また、上記連結部材５５と上記壁ユニット１１のフレーム１７及び上記側面開口部ユニット３１のフレーム３７の間にもガスケット６７が介挿されている。
【００１８】
また、図３（ｂ）に示すように、上記壁ユニット１１、１１は角部材６８によって互いに直交して連結されている。上記角部材６８には、図３（ｂ）に示すように、連結用凹部６８ａ、６８ａが形成されていて、上記壁ユニット１１のフレーム１７の連結用凹部１９と上記角部材６８の連結用凹部６８ａに連結部材５５が係合されている。
【００１９】
また、上記壁ユニット１１と上記角部材６８の間の裏側（図３（ａ）中上側）には閉塞部材６９が設置されている。この閉塞部材６９の両端には上記壁ユニット１１、１１の端部に係合される係合部７１、７１が形成されている。また、上記壁ユニット１１、１１の一方のフレーム１７と上記角部材６８の間に係合された閉塞部材固定板７３があり、上記閉塞部材固定板７３と上記閉塞部材６９の間にはスペーサ７５が介挿されている。上記閉塞部材６９は、ボルト７７を上記閉塞部材６９と上記スペーサ７５を通して上記閉塞部材固定板７３に螺合することにより固定されていて、その結果、上記閉塞部材６９の係合部７１と上記閉塞部材固定板７３によって、上記側壁ユニット１１、１１の一方が挟持・固定されている。
他方の壁ユニット１１、１１も角部材６８を介して連結されている。
【００２０】
また、図３（ｂ）に示すように、上記壁ユニット１１と上記角部材６８との間においても、前記壁ユニット１１、１１の間と同様に、ガスケット６５、６５、６７が介挿されている。
【００２１】
また、図１、図５に示すように、上記躯体３の上側には天井ユニット７９が着脱可能に設置されている。この天井ユニット７９は、長方形状に組み合わされた枠材７９ａ、７９ａ、７９ｂ、７９ｂと、これら枠材７９ａ、７９ａ、７９ｂ、７９ｂの内側に設置された図示しない天井パネルと、から構成されている。
なお、図１、図５では説明の都合上枠材７９ａ、７９ａ、７９ｂ、７９ｂのみを示している。
上記天井ユニット７９が設置されていない状態では上記躯体３の上側（図２中手前側）が開口されており、この開口部が部屋ユニット搬入／搬出口８０となっている。上記建築物１を組み立てる際、この部屋ユニット搬入／搬出口８０を介して上記トイレユニット５を上記躯体３内に搬入する。
【００２２】
また、図５に示すように、上記壁ユニット１１と上記天井ユニット７９は、上記締結作業用上部開口部２７ｂ、２７ｂ内に挿し込まれるボルト７８を上記天井ユニット７９に螺合することによって締結・固定される。上記壁ユニット１１と上記天井ユニット７９の締結作業は、上記トイレユニット５が設置された後に、後述する部屋ユニット側締結作業用上部開口部と上記壁ユニット１１の締結作業用上部開口部２７ｂ、２７ｂを介して上記トイレユニット５の内側から行われる。また、トイレユニット５が設置されていない場所では、上記壁ユニット１１の締結作業用上部開口部２７ｂ、２７ｂを介して、上記躯体３の内側から行われる。
また、上記側面開口部ユニット３１、３３も図示しないボルトによって上記天井ユニット７９に締結・固定されている。
【００２３】
上記トイレユニット５には、まず、外枠８１がある。この外枠８１は、図６に示すような横断面形状を成す枠材８２を複数本用意して直方体形状に組み合わせた枠体である。上記枠材８２には、図６に示すように、Ｔ型溝８２ａ、８２ａ、８２ａ、８２ａが形成されている。上記複数本の枠材は図５に示すような連結金具８２ｂを介して連結される。
例えば、枠材８２、８２の端を直交する方向から押し当てその角部に上記連結金具８２ｂを設置する。その際、それぞれの枠材８２のＴ型溝８２ａ内にはＴ型ナット８２ｃが挿入されており、ボルト８２ｄを上記連結金具８２ｂの図示しない貫通孔を通してそれらＴ型ナット８２ｃに螺合することにより上記枠材８２、８２を固定する。
以下、同様の連結金具８２ｂを使用して上記複数本の枠材８２を直方体形状に組み合わせる。
【００２４】
また、上記外枠８１の側方４面のうち３面（図２中上側、左側、及び、下側）には壁８３、８３、８３が設置されている。また、上記外枠８１の側方の残り１面には一部が開口された壁８５が設置されている。この壁８５の開口部には、ドア８６が回動可能に設置されている。また、上記外枠８１の図２中奥側には床８７が設置されている。また、上記トイレユニット５内には、便座８９ａ、洗面台８９ｂが設置される。これら便座８９ａや洗面台８９ｂの配管の端は上記床８７を貫通して上記トイレユニット５の下側（図２中奥側）に露出されている。上記トイレユニット５を設置する際、上記配管の端は前記床９の開口部から露出された配管の端に接続される。
【００２５】
上記壁８３は、図５に示すように、上記外枠８１の上側の枠材８２のＴ型溝８２ａ内にＴ型ナット８２ｃを挿入しておき、ボルト８２ｄを上記壁８３を通して上記Ｔ型ナット８２ｃに螺合することによって上記外枠８１の内側に固定される。また、上記床８７は上記外枠８１の下側の枠材８２（図示せず）に取り付けられる。上記壁８３の図５中下端は上記床８７に当接される。
【００２６】
また、図５に示すように、上記壁８３の上部には、上記締結作業用上部開口部２７ｂ、２７ｂに連通する部屋ユニット側締結作業用上部開口部９０、９０が形成されている。前記壁ユニット１１と上記天井ユニット７９の締結作業は、上記トイレユニット５が設置された後に、上記部屋ユニット側締結作業用上部開口部９０、９０と上記壁ユニット１１の締結作業用上部開口部２７ｂ、２７ｂを介して、上記トイレユニット５の内側から行われる。また、上記トイレユニット５が設置されていない場所では、上記壁ユニット１１の締結作業用上部開口部２７ｂ、２７ｂを介して、上記躯体３の内側から行われる。
また、上記部屋ユニット側締結作業用上部開口部９０、９０は、図５に示すように、蓋８８によって閉塞されている。また、上記トイレユニット５が設置されていない場所では、上記壁ユニット１１の締結作業用上部開口部２７ｂ、２７ｂが上記蓋８８によって閉塞されている。
また、上記壁８３の何れかには、上記トイレユニット５の電気配線が貫通される図示しない配線用貫通孔が設けられている。上記トイレユニット５の電気配線は上記トイレユニット５内から上記図示しない配線用貫通孔及び天井側に設置された図示しないダクトを介して、上記建築物１の外部に引き出される。
【００２７】
上記躯体３の内側の一辺（図２中左右方向に沿った一辺）の大きさは上記トイレユニット５の大きさの整数倍（本実施の形態の場合には６倍）となるように設定されている。この第１の実施の形態では、上記躯体３の内側の他の一辺（図２中上下方向に沿った一辺）の大きさも上記トイレユニット５の図２中上下方向の大きさの整数倍（本実施の形態の場合には２倍）に設定されている。
【００２８】
次に、この第１の実施の形態による作用について説明する。
この第１の実施の形態による建築物１は、次のようにして組み立てられる。
まず、トイレユニット５を組み立てる。このトイレユニット５の組み立ては、予め、例えば、工場で行われる。
次に、現場で躯体３の天井ユニット７９以外の部分を組み立てる。すなわち、設置面６に基礎フレーム７を設置し、この基礎フレーム７の上に床９を設置し、上記基礎フレーム７の上であって上記床９の外周側の四隅に柱５１を立設するとともにそれら柱５１の間に壁ユニット１１と側面開口部ユニット３１、３３を立設する。この状態では、上記躯体３の上側が開口されていてそこが部屋ユニット搬入／搬出口８０となっている。
次に、上記トイレユニット５を、例えば、クレーンによって吊り上げ、上記部屋ユニット搬入／搬出口８０を介して上記躯体３の内部に搬入・設置する。
その際、上記トイレユニット５側の配管と上記躯体３の床９側に露出されている配管とが接続される。
最後に、上記躯体３の上側に上記天井ユニット７９を設置して上記部屋ユニット搬入／搬出口８０を閉塞する。
尚、上記天井ユニット７９と上記壁ユニット１１、側面開口部ユニット３１、３３との締結・固定については前述した手順で行われる。
【００２９】
また、上記建築物１を解体する場合は、まず、天井ユニット７９を撤去して、部屋ユニット搬入／搬出口８０を開放し、例えば、図示しないクレーンによって上記トイレユニット５を上記部屋ユニット搬入／搬出口８０から躯体３の外部に搬出する。その後、上記躯体３の残りの部分を解体する。
【００３０】
次に、この第１の実施の形態による効果について説明する。
まず、トイレユニット５の搬入・搬出作業の容易化を図ることができる。すなわち、予め、部屋ユニットとしてのトイレユニット５を組み立てておき、躯体３の上側の部屋ユニット搬入／搬出口８０を介して搬入・設置することができるからである。
その際、建築物１の周辺に作業空間を確保できない場合でも支障はない。
また、上記部屋ユニット搬入／搬出口８０の大きさは天井そのものの大きさであり、よって、トイレユニット５の搬入／搬出に困難を要することはなく、又、トイレユニット５の大きさが制約されることもない。
また、上記躯体３の内側の一辺の大きさは上記トイレユニット５の大きさの整数倍（本実施の形態の場合には６倍）であるため、上記建築物１内の空間を有効に活用することができる。すなわち、トイレユニット５を６個設置すれば中途半端で不必要なデットスペースを発生させることなく内側空間を１００％有効利用することができ、仮に、５個設置すれば１個分の空間が残るが、その空間は別の作業を行うのに十分な大きさの空間となる。
また、上記天井ユニット７９は上記躯体３に着脱可能に設置されているので、上記建築物１が完成した後、上記天井ユニット７９を取り外して、上記部屋ユニット搬入／搬出口８０から上記トイレユニット５を取り外すことができ、上記建築物１の解体も容易である。
また、上記トイレユニット５の壁８３には壁ユニット１１の締結作業用上部開口部２７ｂ、２７ｂに連通する部屋ユニット側締結作業用上部開口部９０、９０が設けられているので、上記トイレユニット５が設置された後に、上記部屋ユニット側締結作業用上部開口部９０、９０と上記壁ユニット１１の締結作業用上部開口部２７ｂ、２７ｂを介して上記壁ユニット１１と上記天井ユニット７９の締結作業を上記躯体３の内側から行うことができる。
【００３１】
次に、図７を参照して本発明の第２の実施の形態について説明する。
この第２の実施の形態による建築物９１の場合には、躯体３内にトイレユニット５を複数個（この実施の形態の場合には６個）設置した構成になっている。また、壁８５を図３中上側に配置している。これは、ドア８６を他のトイレユニット５と干渉することなく開けられるようにするためである。
なお、その他の構成は前記第１の実施の形態の場合と同じであり、図中同一部分には同一符号を付して示しその説明を省略する。
【００３２】
この第２の実施の形態の場合も、前記第１の実施の形態と同様の作用・効果を奏することができる。
また、建築物１を複数のトイレユニット５を備えたトイレ施設とすることができる。
【００３３】
次に、図８を参照して本発明の第３の実施の形態について説明する。
この第３の実施の形態による建築物１０１の場合には、躯体３内にトイレユニット５の他に部屋ユニットとして洗面ユニット１０３を設置した構成になっている。この洗面ユニット１０３は上記トイレユニット５とほぼ同様の構成であるが、内部に洗面台１０５が設置されている。
なお、その他の構成は前記第１の実施の形態の場合と同じであり、図中同一部分には同一符号を付して示しその説明を省略する。
【００３４】
この第３の実施の形態の場合も、前記第１の実施の形態と同様の作用・効果を奏することができる。
また、建築物１をトイレユニット５と洗面ユニット１０３の両方の機能を備えた複合施設とすることができる。
【００３５】
次に、図９を参照して本発明の第４の実施の形態について説明する。
この第４の実施の形態による建築物１１１には、躯体３内にトイレユニット５と洗面ユニット１０３を組み合わせた構成のトイレ／洗面ユニット１１３を３個設置した構成になっている。
なお、その他の構成は前記第３の実施の形態の場合と同じであり、図中同一部分には同一符号を付して示しその説明を省略する。
【００３６】
この第４の実施の形態の場合も、前記第３の実施の形態と同様の作用・効果を奏することができる。
【００３７】
次に、図１０を参照して本発明の第５の実施の形態について説明する。
この第５の実施の形態による建築物１２１には、躯体３内にシャワーユニット１２３を設けた構成になっている。
【００３８】
このシャワーユニット１２３は、上記トイレユニット５とほぼ同様の構成であるが、内部にシャワー設備１２５が設置されている。このシャワー設備１２５には図１０中右側のみが開口された箱状の防水室１２７と、この防水室１２７内に設置されたシャワーノズル１２９がある。上記防水室１２７の外側には冷水用配管１３１と温水用配管１３３が設置されている。上記シャワーノズル１２９と上記冷水用配管１３１及び上記温水用配管１３３は図示しない配管ホースで接続されている。また、上記冷水用配管１３１は図示しない上水道用配管と接続されており、上記温水用配管１３３は図示しない温水器と接続されていて、上記シャワーノズル１２９からは温水又は冷水を放出できるようになっている。
また、上記防水室１２７の床１３５には排水口１３７が設けられていて、上記防水室１２７内の水を図示しない下水道用配管に排出できるようになっている。
また、上記防水室１２７の開口部には、折り畳み式の扉１３９が設置されている。また、上記シャワーユニット１２３の場合は、壁８５にはドアは設けられておらず、上記折り畳み式扉１３９に対応する箇所が開口されている。
なお、その他の構成は前記第１の実施の形態の場合と同じであり、図中同一部分には同一符号を付して示しその説明を省略する。
【００３９】
この第５の実施の形態の場合も、前記第１の実施の形態と同様の作用・効果を奏することができる。
【００４０】
次に、図１１を参照して本発明の第６の実施の形態について説明する。
この第６の実施の形態による建築物１４１の場合には、躯体３内に洗面ユニット１０３とシャワーユニット１２３を組みあわせ、上記洗面ユニット１０３を脱衣所としても使用できる脱衣洗面／シャワーユニット１４３を３個設置した構成になっている。
なお、その他の構成は第５の実施の形態と同じであり、図中同一部分には同一符号を付して示しその説明を省略する。
【００４１】
この第６の実施の形態の場合も、前記第５の実施の形態と同様の作用・効果を奏することができる。
また、建築物１４１をシャワーユニット１２３と洗面ユニット１０３の両方の機能を備えた複合施設とすることができる。
【００４２】
次に、図１２を参照して本発明の第７の実施の形態について説明する。
この第７の実施の形態による建築物１５１には、前記第１の実施の形態、第６の実施の形態とほぼ同様の構成であるが、躯体３内にトイレユニット５と洗面ユニット１０３とシャワーユニット１２３を組み合わせた構成のトイレ／脱衣洗面／シャワーユニット１５３を２個設置した構成になっている。
なお、前記した第６の実施の形態と同一部分には同一符号を付して示しその説明を省略する。
【００４３】
この第７の実施の形態の場合も、前記第６の実施の形態と同様の作用・効果を奏することができる。
また、建築物１５１をシャワーユニット１２３、洗面ユニット１０３、トイレユニット５を備えた複合施設することができる。
【００４４】
なお、本発明は前記第１〜第７の実施の形態に限定されるものではない。
例えば、躯体内に設置される部屋ユニットの種類には様々なものが考えられる。
また、上記躯体内に設置される部屋ユニットの個数、向き、配置、組み合わせ等についても様々な場合が考えられる。
また、前記第１〜第７の実施の形態の場合には、躯体の例としてユニットハウスを挙げて説明したが、それに限定されるものではなく、様々な建築物に適用可能である。
その他、各部の構成は図示したものに限定されない。
【産業上の利用可能性】
【００４５】
本発明は、例えば、建築物と建築方法に係り、特に、部屋ユニットの搬入・搬出作業の容易化を図ることができるように工夫したものに関し、例えば、仮設住宅に好適である。
【符号の説明】
【００４６】
１  建築物
３  躯体
５  トイレユニット（部屋ユニット）
７  基礎フレーム（基礎）
７９  天井ユニット（天井）
８０  部屋ユニット搬入／搬出口
９０  部屋ユニット側締結作業用上部開口部
９１  建築物
１０１  建築物
１０３  洗面ユニット（部屋ユニット）
１１１  建築物
１１３  トイレ／洗面ユニット
１２１  建築物
１２３  シャワーユニット（部屋ユニット）
１４１  建築物
１４３  脱衣洗面／シャワーユニット
１５１  建築物
１５３  トイレ／脱衣洗面／シャワーユニット
【図１】
2019007146.tif 000003
【図２】
2019007146.tif 000004
【図３】
2019007146.tif 000005
【図４】
2019007146.tif 000006
【図５】
2019007146.tif 000007
【図６】
2019007146.tif 000008
【図７】
2019007146.tif 000009
【図８】
2019007146.tif 000010
【図９】
2019007146.tif 000011
【図１０】
2019007146.tif 000012
【図１１】
2019007146.tif 000013
【図１２】
2019007146.tif 000014